(57)【要約】      （修正有）【課題】表示体のアイキャッチ効果ないし商品等のアピール効果を高めることができるディスプレイ装置を提供する。【解決手段】ディスプレイ装置は，前面に開口３ａが形成された筐体２と，上記筐体２内に設けられその前後方向にのびるレール12と，上記レール12に前後方向に移動自在に支持された移動板20と，上記移動板20の前端部に取付けられ，前面に表示面４ａを有する表示体４と，モータ31の出力軸の回転運動を上記移動板20の往復直線運動に変換し，上記表示体４の表示面４ａを待機位置から前進表示位置まで移動させる回転／直線変換機構を備える。表示体４の表示面４ａの位置または姿勢が待機位置と前進表示位置とで異なるものになり，表示体４の表示面４ａの動きが筐体２の前方から視認される。【選択図】図９
2011174968.tif 000002
【特許請求の範囲】
【請求項１】
前面に表示体進出用開口が形成された筐体，
上記筐体内に設けられ，その前後方向にのびるレール部材，
上記レール部材に前後方向に移動自在に支持された移動板，
上記移動板の前端部に取付けられ，前面に表示面を有する表示体，および
モータの出力軸の回転運動を上記移動板の往復直線運動に変換し，上記表示体の表示面を待機位置から前進表示位置まで移動させる回転／直線変換機構，
を備えるディスプレイ装置。
【請求項２】
上記移動板の前端部付近に設けられ，上記表示体を水平面内で揺動可能に枢支する枢支部材，
上記筐体および表示体のいずれか一方に設けられ，上記表示面が斜め横方向を向くように，上記表示体の前方移動にかかわらずその少なくとも途中において上記表示体の一側の移動を阻止するストッパ，および
上記表示体の他側を後方に付勢する弾性部材，
をさらに備える請求項１に記載のディスプレイ装置。
【請求項３】
上記表示体の表示面に貼付され，異なる視角から見たときに視認される絵柄が異なるレンチキュラーシート，
をさらに備える請求項２に記載のディスプレイ装置。
【請求項４】
上記回転／直線変換機構が，
上記モータの出力軸が所定数回転するごとに上記移動板を一往復移動させる，
請求項１に記載のディスプレイ装置。
【請求項５】
上記回転／直線変換機構が，
上記モータの出力軸の回転に応じて回転し上記出力軸の回転速度よりも遅い回転速度で回転する減速回転体を備え，
上記減速回転体が１回転するごとに上記移動板を一往復移動させる，
請求項１に記載のディスプレイ装置。
【請求項６】
上記回転／直線変換機構が，
上記モータの出力軸の回転に伴って回転する回転板と，
上記回転板の回転軸から離れた位置に設けられ，上記回転板の回転に伴って上記回転板の回転軸を中心に円運動するスライドピンとを備え，
上記移動板にその左右方向に形成されたスリットに上記スライドピンが移動自在に通されている，
請求項１に記載のディスプレイ装置。
【請求項７】
上記ストッパが上記表示体に設けられ上記表示体の一側部において外方に突出する突出片であり，上記突出片が上記筐体に係合することにより上記表示体の一側の移動が阻止される，
請求項２に記載のディスプレイ装置。
【請求項８】
上記表示体の表示面が上記待機位置にあるときに，上記突出片と上記筐体における上記突出片の被係合部位との間に間隔があいている，
請求項７に記載のディスプレイ装置。
【請求項９】
上記弾性部材がばねである，請求項２に記載のディスプレイ装置。
【請求項１０】
上記弾性部材が反発材である，請求項２に記載のディスプレイ装置。
【発明の詳細な説明】
【技術分野】
【０００１】
この発明は，商品等のディスプレイ装置に関する。
【背景技術】
【０００２】
コンビニエンスストア，薬局，スーパー等において，ポスター，商品見本，その他の宣伝または広告のための展示物を用いて商品の宣伝ないし広告が行われている。このような商品の宣伝ないし広告ではいかにして来店客（看者）の注意を展示物に引きつけるかが重要である。一般に，静止しているものよりも動きを伴うものの方がアイキャッチ効果ないしアピール効果が高い。特許文献１には，商品見本に取付けられた表示体を左右に揺動させたり，表示体を上下方向に駆動して商品見本の上面から表示体を出没させるものが記載されている。
【先行技術文献】
【特許文献】
【０００３】
【特許文献１】特開２０００−９０３３９号公報
【発明の開示】
【０００４】
この発明は，表示体のアイキャッチ効果ないし商品等のアピール効果をさらに高めることを目的とする。
【０００５】
この発明によるディスプレイ装置は，前面に表示体進出用開口が形成された筐体，上記筐体内に設けられ，その前後方向にのびるレール部材，上記レール部材に前後方向に移動自在に支持された移動板，上記移動板の前端部に取付けられ，前面に表示面を有する表示体，およびモータの出力軸の回転運動を上記移動板の往復直線運動に変換し，上記表示体の表示面を待機位置から前進表示位置まで移動させる回転／直線変換機構を備えるものである。
【０００６】
この発明によると，往復直線運動する移動板の前端部に表示体が取付けられているので，待機位置と前進表示位置とで表示体の前面（表示面）の位置または姿勢が変化し，表示体の表示面に動きを伴わせることができる。また，移動板の往復直線運動が筐体の前後方向であり筐体の前面に表示体進出用開口が形成されているから，ディスプレイ装置（筐体）の前面（正面）において表示体の表示面の動きを視認することができる。ディスプレイ装置（筐体）の前面を看者（小売店の来店客等）の方に向けておくことによって，看者の注意をディスプレイ装置（表示体ないしその表示面）に強く引きつけることができ，アイキャッチ効果を高めることができる。表示体の表示面に特定商品の商品名等を表示（印刷）しておくと，その特定商品のアピール効果を高めることができる。表示体の表示面は垂直であることを基本とするが，もちろん多少前後に傾いていてもよい。
【０００７】
上記表示体の表示面の待機位置から前進表示位置までの移動は，上記表示面の前方への平行移動，上記表示面の傾動（揺動），および上記平行移動と傾動の組合わせを含む。
【０００８】
一実施態様において，上記ディスプレイ装置は，上記移動板の前端部付近に設けられ，上記表示体を水平面内で揺動可能に枢支する枢支部材，上記筐体および表示体のいずれか一方に設けられ，上記表示面が斜め横方向を向くように上記表示体の前方移動にかかわらずその少なくとも途中において上記表示体の一側の移動を阻止するストッパ，および上記表示体の他側部を後方に付勢する弾性部材をさらに備える。ストッパによって表示体の一側の移動が阻止されるので，その後表示体は枢支部材を中心に揺動する（傾く）。ディスプレイ装置（筐体）をその前方から見ると，表示体の表示面の斜め横方向への傾動を視認することができ，看者の注意をディスプレイ装置に引きつけることができる。また上記表示体の他側を後方に付勢する弾性部材が設けられているので，表示体が前進表示位置から待機位置に後退すると上記表示面の傾動は解消されて元の状態に復帰する。上記弾性部材による付勢によって上記移動板の前端面に表示体を当接させてもよい。
【０００９】
上記弾性部材の例としては，ばね，反発材（スポンジ，ウレタンなど）等がある。
【００１０】
好ましくは，上記ディスプレイ装置は，上記表示体の表示面に貼付され，異なる視角から見たときに視認される絵柄が異なるレンチキュラーシートをさらに備える。表示面の傾動に伴って視認される絵柄が変化するので，看者自身が移動せずとも絵柄の変化を楽しむことができ，アイキャッチ効果をより高めることができる。絵柄の変化は２種類の絵柄の変化（切替え）でもよいし，３種類以上の絵柄を連続して変化させてもよい。
【００１１】
一実施態様において，上記回転／直線変換機構は上記モータの出力軸が所定数回転するごとに上記移動板を一往復移動させる。モータの出力軸が所定数回転するごとに上記移動板は前方移動しかつ後方移動にする。モータの出力軸の連続回転によって移動板の前方移動および後方移動が周期的に繰返される。上記待機位置と前進表示位置との間の表示体の表示面の位置または姿勢の変化も周期的に繰り返される。
【００１２】
他の実施態様において，上記回転／直線変換機構が上記モータの出力軸の回転に応じて回転し上記出力軸の回転速度よりも遅い回転速度で回転する減速回転体を備え，上記減速回転体が１回転するごとに上記移動板を一往復移動させる。モータがその出力軸を早い回転速度で回転させるものであっても，ゆっくりとしたスピードで上記移動板を前後方向に往復させることができ，表示体の表示面の位置または姿勢をゆっくりとしたスピードで変化させることができる。
【００１３】
さらに他の実施態様では，上記回転／直線変換機構が，上記モータの出力軸の回転に伴って回転する回転板と，上記回転板の回転軸から離れた位置に設けられ，上記回転板の回転に伴って上記回転板の回転軸を中心に円運動するスライドピンとを備え，上記移動板にその左右方向に形成されたスリットに上記スライドピンが移動自在に通されている。円運動するスライドピンが移動板に形成されたスリットに移動自在に通されているので，スライドピンの円運動に伴って移動板は単振動する。上記スリットは移動板において左右方向（水平面内で筐体の前後方向に垂直な方向）に形成されているので，移動板の単振動の方向が筐体の前後方向に一致し，回転板が１回転するごとに上記移動板は前方移動しかつ行動移動して一往復移動する。
【００１４】
一実施態様において，上記ストッパが上記表示体に設けられ表示体の一側部において外方に突出する突出片であり，上記突出片が上記筐体に係合することにより上記表示体の一側の移動が阻止される。
【００１５】
好ましくは，上記表示体の表示面が待機位置にあるときに，上記突出片と上記筐体における上記突出片の被係合部位との間に間隔があいている。上記表示体は，上記突出片が上記筐体の被係合部位に係合するまで直進し，突出片が筐体の被係合部位に係合すると上記表示体の表示面の傾動が始まる。表示体の表示面は看者に近づくように前進してから，上記表示面が斜め横方向を向くように傾動する。表示体の表示面が迫ってくる印象を看者に与えつつ，その後の表示面の姿勢の変化（傾動）を楽しむことができる。上述のように，表示面に上記レンチキュラーシートを貼付しておくと，さらに絵柄の変化も楽しむことができる。
【図面の簡単な説明】
【００１６】
【図１】ディスプレイ装置の外観を示す斜視図である。
【図２】ディスプレイ装置の外観を示す斜視図である。
【図３】ディスプレイ装置の外観を示す斜視図である。
【図４】レンチキュラーシートの拡大断面図である。
【図５】ディスプレイ装置の筐体内部を後方側から見た斜視図である。
【図６】ディスプレイ装置の筐体内部の平面図である。
【図７】ディスプレイ装置の筐体内部の断面図である。
【図８】ディスプレイ装置の筐体内部の平面図である。
【図９】ディスプレイ装置の筐体内部の平面図である。
【図１０】（Ａ），（Ｂ）および（Ｃ）は他の実施例を示すもので，ディスプレイ装置の筐体内部の前端部付近の平面図である。
【実施例】
【００１７】
図１から図３はディスプレイ装置の外観を示す斜視図であり，表示体が動く様子を示している。
【００１８】
ディスプレイ装置１は，直方体状の筐体２と，筐体２の前面（前壁面）を形成する前面パネル３と，表示体４とを備える。表示体４は高さ方向に長い直方体状の外形を有し，その前面４ａが商品広告等のための表示面として用いられる。表示体４の表示面４ａの全体にレンチキュラーシート６が貼られており，後述するように，表示体４の表示面４ａが斜め横方向に傾くことによって視認される絵柄が変化する。前面パネル３の中央部分に表示体４の表示面４ａに対応する形状を有し，かつ表示面４ａよりも一回り大きい開口３ａがあけられている。後述するように，ディスプレイ装置１の筐体２の内部には表示体４（表示体４の表示面４ａ）を筐体２の前後方向に往復移動させる移動機構が設けられている。この移動機構によって表示体４は前後方向に移動し，前進した表示体４の表示面４ａは前面パネル３にあけられた開口３ａを通過して筐体２の前に出る（図１および図２参照）。この明細書において，「前後方向」とは筐体２の前面に垂直な方向を意味する。
【００１９】
ディスプレイ装置１はさらに，表示体４の表示面４ａを斜め横方向に傾動させる機構を備える（傾動機構の詳細も後述する）。図１〜図３には傾動機構の一部を構成するストッパ40ｃが図示されている。ストッパ40ｃは表示体４に固定されその一側部から横向きに突出している。表示体４の前進の途中でストッパ40ｃが前面パネル３の内壁に係合する。表示体４の一側部の前進が阻止され，かつ他側部が前進する（すなわち表示体４が傾動（揺動）する）ことによって，表示体４の表示面４ａは斜め横方向を向く（図３）。
【００２０】
表示体４の表示面４ａに貼付されたレンチキュラーシート６は異なる視角から見たときに視認される絵柄が変化するものである。図４はレンチキュラーシート６の拡大断面図である。図４にはレンチキュラーシート６を構成するレンチキュラーレンズ６ｃの長さ方向に直交する断面が示されている。
【００２１】
レンチキュラーシート６は，基材６ａと絵柄シート６ｂとレンチキュラーレンズ６ｃをこの順番に貼り合わせて構成されている。絵柄シート６ｂ上に２種類の絵柄Ａ，Ｂが交互に並べて印刷されている。この２種類の絵柄Ａ，Ｂが，図１および図２に示す絵柄と図３に示す絵柄とにそれぞれ対応する。一組の絵柄Ａ，Ｂごとにレンチキュラーレンズ６ｃが設けられている。ある視角からレンチキュラーシート６を見ると絵柄Ａが観察され，他の視角からレンチキュラーシート６を見ると絵柄Ｂが観察される。
【００２２】
レンチキュラーシート６は，レンチキュラーレンズ６ｃの長さ方向が垂直（上下）方向を向くようにして表示体４の表示面４ａに貼られている。このため，表示体４の表示面４ａ（レンチキュラーシート６）が斜め横方向に傾動することによって視認される絵柄が変化する。
【００２３】
図５はディスプレイ装置１の筐体２の内部を後方（背面）側から見た一部切欠き斜視図である。図６は筐体２内を示す平面図，図７は図６のVII−VII線に沿う断面図である。
【００２４】
図５，図６および図７はいずれも図１に対応し，表示体４の表示面４ａ（レンチキュラーシート６）が筐体２の最も奥まった位置（後方位置）にある状態を示している。この状態における表示体４の表示面４ａの位置を，以下「待機位置」と呼ぶ。この実施例において待機位置にある表示体４の表示面４ａは前面パネル３とほぼ面一である。もちろん，待機位置において表示体４の表示面４ａは前面パネル３の後方に位置してもよいし，前面パネル３の前方に位置していてもよい。
【００２５】
図８および図９もディスプレイ装置１の筐体２内の平面図である。図８は図２に対応するもので，表示体４の表示面４ａが待機位置から平行に前方向に移動した状態を示している。この状態における表示体４の表示面４ａの位置を「平行前進位置」と呼ぶ。図９は図３に対応するもので，表示体４の表示面４ａが上記平行前進位置において斜め横方向を向くように傾動（揺動）した状態を示している。この状態における表示体４の表示面４ａの位置を「前進傾動姿勢位置」と呼ぶ。
【００２６】
図５，図６および図７を参照して，筐体２の内部に支持枠10が固定されている。支持枠10は広がりを持つ方形の底面部10ａと底面部10ａの両側からほぼ垂直に立ち上がる２つの壁面部10ｂを有し，この２つの壁面部10ｂが筐体２の両側壁にねじ止めまたは接着剤による接着等によってそれぞれ固定されている。支持枠10の底面部10ａは筐体２の高さ方向の中間の高さに位置している。
【００２７】
支持枠底面部10ａの上面に，２つのレール支持部材11が所定の間隔をあけて互いに平行に固定されている。レール支持部材11の長手方向は筐体２の前後方向に沿っている。レール支持部材11は，底面部と，その長手方向の一側部から垂直に立ち上がる立ちあがり部と，立ちあがり部の上端から横向きにのびる上面部が連続して形成されたものである。上記支持枠底面部10ａと上記レール支持部材11の底面部とがねじ止めまたは接着剤等による接着によって固定されている。
【００２８】
２本のレール支持部材11の上面部のそれぞれにレール12が固定されている。２本のレール12も所定の間隔だけ離れており，互いに平行で，その長手方向は筐体２の前後方向に沿っている。
【００２９】
２本のレール12の間にやや大きな厚さを有する平板状の移動板20が橋架されている。移動板20は２本のレール12の間の間隔とほぼ同じ幅を有し，かつ筐体２の奥行き（前面から背面までの距離）とほぼ同じ長さを有している。２本のレール12によって移動板20は前後方向に移動自在に支持されている。
【００３０】
後述する揺動機構によって表示体４が揺動するときの干渉を防ぐために，移動板20の前端部付近において一方の側部のみが斜めにカットされている。また，移動板20の後端部付近には移動板20の上面から下面を貫通し，左右方向（筐体２の前後方向に垂直な方向）にのびるスリット20ａが形成されている。スリット20ａの機能の詳細は後述する。
【００３１】
モータ31が支持枠底面部10ａの下方に固定されて設けられている。筐体２内の底面に設けられた電池38から電流が供給されるとモータ31の出力軸が回転する。モータ31の出力軸は上方にのびており，支持枠底面部10ａにあけられた軸孔（図示略）を通って支持枠底面部10ａの上方に達している。出力軸の先端に小径の平歯車（以下，小歯車という）32が取付けられている。小歯車32は上記支持枠底面部10ａと上記移動板20との間の高さ位置にある。
【００３２】
大径の平歯車（以下，大歯車という）33が設けられている。大歯車33はモータ31の出力軸の回転をより遅い回転速度に減速させるために設けられており，大歯車33も支持枠底面部10ａと移動板20との間の高さ位置にある。大歯車33の回転軸33ａは移動板20の幅方向のほぼ中央に位置し，大歯車33の上下にのびている。下方にのびる回転軸33ａが支持枠底面部10ａに回転自在に支持されている。モータ31の出力軸の先端の小歯車32が大歯車33に噛み合されておりモータ31の回転に伴って大歯車33は回転軸33ａを中心に低速回転する。
【００３３】
大歯車33の上方にのびる回転軸33ａに，平面から見て長方形の平板状のスライドピン支持部材34の一端部が固定されている。大歯車33が回転するとこれに同期してスライドピン支持部材34も回転軸33ａを中心に回転する。
【００３４】
スライドピン支持部材34の他端部付近に，上方にのびる円柱状のスライドピン35が設けられている。このスライドピン35が，上述した移動板20の後方端部付近にあけられたスリット20ａに通されている。スリット20ａの幅はスライドピン25の径とほぼ同じであり，スライドピン25はスリット20ａ内を摺動自在である。
【００３５】
上述のように，モータ31が回転駆動すると大歯車33が低速回転し，これに同期してスライドピン支持部材34も大歯車33の回転軸33ａを中心に回転する。他方，スライドピン支持部材34の他端部付近に固定されたスライドピン35は回転軸33ａから離れた位置にあるので，回転軸33ａを中心に円運動する。ここで，上述のように，スライドピン35は移動板20にあけられたスリット20ａに通されているので，スライドピン35が円運動すると上記スライドピン35によって上記移動板20が筐体２の前方および後方に向けて押されてレール12上を移動し，同時にスライドピン35はスリット20ａ内を左右方向にスライドする。このようにして，モータ31の回転運動が移動板20の往復直線運動に変換される（図６，図８および図９を参照）。
【００３６】
表示体４は，表示体支持部材40を介して上記移動板20の前端部に取り付けられている。表示体支持部材40は，移動板20の上方において移動板20の上面と平行に延びる水平面部40ａと，上記水平面部40ａの端部から垂直に立ち下がる垂直面部40ｂとが一体に形成されたものである。表示体４は，その表示面４ａの内面が表示体支持部材40の垂直面部40ｂの外面に接着剤等によって貼付けられることによって，表示体支持部材40に支持されている。表示体４の表示面４ａが待機位置にあるとき，表示体支持部材40の垂直面部40ｂは移動板20の前端面に当接している。
【００３７】
移動板20の前端部付近において，移動板20の幅方向のほぼ中央位置には，円筒状の枢支部材21が移動板20を貫通して固定されている。表示体支持部材40の水平面部40ａがこの枢支部材21に摺動可能に枢支されている。
【００３８】
表示体支持部材40の垂直面部40ｂの一側部に，表示体支持部材40と一体に形成されたストッパ40ｃが側方に突出して形成されている。上述したように，ストッパ40ｃは表示体４の一側部の前進を途中で阻止し，表示体４（表示体４の表示面４ａ）を傾動させるために設けられている。
【００３９】
表示体支持部材40の水平面部40ａおよび移動板20のそれぞれに，ばね固定軸51，52が設けられ，ばね固定軸51，52間にばね50が設けられている。ばね固定軸51，52は，上記ストッパ40ｃが突出している一側部と反対側の他側部に近い側において表示体支持部材40の水平面部40ａおよび移動板20のそれぞれに立設されている。後述するように，ばね56は表示体支持部材40（表示体４の表示面４ａ）の傾動を無くす（元の状態に復帰させる）ために設けられている（詳細は後述する）。
【００４０】
図６，図８および図９を参照して，上述したように，モータ31の回転駆動は移動板20の往復直線駆動に変換される。すなわち，モータ31の回転駆動すると，移動板20，上記移動板20に枢支部材21によって枢支された表示体支持部材40，および上記表示体支持部材40に支持された表示体４は前進する。表示体４が前進すると表示体４の表示面４ａは待機位置から平行に前方向に移動して平行前進位置に達する（図８）。平行前進位置において表示体４の表示面４ａは前面パネル３にあけられた開口３ａから前面パネル３の前方に出る（図２参照）。
【００４１】
図８を参照して，大歯車33がおよそ１／４回転したところで，表示体支持部材40と一体に形成され側方に突出するストッパ40ｃが前面パネル３の内壁に係合する。ストッパ40ｃが係合する前面パネル３の内壁部分には前面パネル３を保護するための板状の保護部材52が固定されており，ストッパ40ｃはこの保護部材52に当接する。
【００４２】
モータ31の回転駆動によって移動板20はさらに前進する。上述したように，表示体４を支持する表示体支持部材40は，移動板20の前端部付近に設けられた枢支部材21に揺動可能に枢支されており，かつ上記ストッパ40ｃによって表示体支持部材40の一側部の前進が阻止される。このため，表示体支持部材40は枢支部材21を中心に傾動し，表示体４の表示面４ａは平行前進位置において斜め横方向を向く（前進傾動姿勢位置）（図９参照）。表示体支持部材40が傾動すると，表示体支持部材40と移動板20との間に張られたばね50に伸びが生じる。ばね50は，表示体支持部材40の傾動を妨げない程度の付勢（引張力）を表示体支持部材40と移動板20との間に与えるものであることは言うまでもない。大歯車33が１／２回転したときに，表示体４の表示面４ａの傾動（傾き）が最大になる。
【００４３】
大歯車33が１／２回転位置からさらに回転すると移動板20は後退を始める。表示体支持部材40と移動板20との間に張られたばね50によって，移動板20の後退に伴って表示体支持部材40の他側部が後方に付勢され，表示面４ａの傾動は元に戻される。大歯車33が１回転すると表示体４は元の状態に戻る（図６）。ばね50による引張力によって移動板20の前端面に表示体支持部材40が当接する。
【００４４】
ばね50による引張力によって表示体支持部材40が逆方向に傾動するのを防止するために，移動板20上には，ばね50に比較的近い位置に逆傾動防止ストッパ53が設けられている。表示体４の表示面４ａが待機位置にある状態（図６）において，逆傾動防止ストッパ53は表示体支持部材40の水平面部40ａの端面に当接する。これにより表示体支持部材40の逆方向の傾動が防止される。
【００４５】
図１０（Ａ）〜（Ｃ）は他の実施例を示すもので，ディスプレイ装置１の筐体２の内部の前端部分のみの平面図である。図１０（Ａ）〜（Ｃ）は表示体４の表示面４ａが待機位置，平行前進位置，前進傾動姿勢位置にあるときの様子をそれぞれ示している。上述の実施例で説明した部材と同一部材には同一符号を付し重複説明を避ける。
【００４６】
移動板20の前端部付近に設けられた枢支部材21に，水平面部60ａおよび垂直面部60ｂを有する表示体支持部材60が揺動可能に枢支されている点は上述した実施例と同じであるが，枢支部材21に枢支される表示体支持部材60の水平面部60ａの形状が細長である点，および水平面部60ａに上記枢支部材21が摺動可能なスリット61ａが形成されている点が，上述の実施例と異なる。また，上述の実施例では，表示体４の表示面４ａの傾動を元の状態に復帰させるための部材としてばね50が用いられているが，この実施例では高反発のスポンジ70が用いられている点も異なる。
【００４７】
表示体４の表示面４ａと移動板20の前端面との間にスポンジ70が存在する。スポンジ70は表示体支持部材60の垂直面部60ｂに貼付けられている。表示体４の表示面４ａが待機位置にあるとき，移動板20の前端面がスポンジ70に当接している。移動板20が前方移動すると移動板20の前端面によってスポンジ70が押圧されスポンジ70に凹みが生じる。それとともに表示体支持部材60は前進する。また，スポンジ70に凹みが生じるので，移動板20の前進に伴って枢支部材21がスリット61ａ内を前方に摺動する（図１０（Ａ）から図１０（Ｂ））。
【００４８】
前進の途中で表示体支持部材60の一側部から側方に突出するストッパ60ｃが前面パネル３の内壁に係合し，枢支部材21を軸にして表示体支持部材60が揺動し表示体４の表示面４ａが斜め横方向を向くのは，上述した実施例と同じである（図１０（Ｂ）から図１０（Ｃ））。
【００４９】
その後，移動板20が後退すると，スポンジ70の反発作用によって表示体支持部材60の他側部が後方に付勢され，表示体４の表示面４ａの傾動が解消される。
【００５０】
上述した２つの実施例においては，表示体４の表示面４ａが待機位置（図６，図１０（Ａ））から平行前進位置（図８，図１０（Ｂ））まで平行に前方向に移動し，続いてストッパ40ｃ，60ｃによって平行前進位置において斜め横方向を向くように表示体４の表示面４ａを傾動させて前進傾動姿勢位置（図９，図１０（Ｃ））にもたらしている。もちろん，必要に応じて，表示面４ａが傾動しないようにしてもよい。もっとも単純には，上述した実施例および他の実施例のディスプレイ装置において，ストッパ40ｃ，60ｃを取り外せばよい。表示体４の表示面４ａは平行状態を保って前後移動を繰返すものになる。
【００５１】
これとは逆に，表示体４の表示面４ａを前方に移動させることなく，待機位置において表示面４ａが斜め横方向を向くように傾動のみさせてもよい。大歯車33の回転軸33ａの近くにスライドピン35を位置させることによって移動板20の移動距離を短くし，かつ待機位置においてストッパ40ｃ，60ｃを前面パネル３に係合させることによって，表示体４の表示面４ａは傾動のみを繰返すものになる。
【符号の説明】
【００５２】
１  ディスプレイ装置
２  筐体
３  前面パネル
３ａ  開口
４  表示体
４ａ  表示面
６  レンチキュラーシート
10  支持枠
11  レール支持部材
12  レール
20  移動板
20ａ  スリット
31  モータ
32  小歯車
33  大歯車
34  スライドピン支持部材
35  スライドピン
40  表示体支持部材
40ｃ  ストッパ
41  枢支部材
50  ばね
70  スポンジ
【図１】
2011174968.tif 000003
【図２】
2011174968.tif 000004
【図３】
2011174968.tif 000005
【図４】
2011174968.tif 000006
【図５】
2011174968.tif 000007
【図６】
2011174968.tif 000008
【図７】
2011174968.tif 000009
【図８】
2011174968.tif 000010
【図９】
2011174968.tif 000011
【図１０】
2011174968.tif 000012